【事件の表示】
　特許第２９９１２４３号「記録紙処理装置」の特許に対する特許異議の申立てについて、次のとおり決定する。
【結　論】
　特許第２９９１２４３号の請求項１に係る特許を維持する。
【理　由】
１．本件特許発明
　本件特許第２９９１２４３号（平成２年１１月１３日出願、平成１１年１０月１５日設定登録。）の請求項１に係る特許発明（以下、本件特許発明という。）は、特許明細書及び図面の記載からみて、その特許請求の範囲の請求項１に記載された事項により特定される次のとおりのものである。
　「【請求項１】搬送されてくる記録紙の一端に平行移動可能に設置されて記録紙を後処理する後処理手段を備え、この後処理手段の記録紙での後処理位置を複数指定可能な記録紙処理装置において、
　後処理モードが選択された状態で画像形成動作の開始が入力されたとき、前記画像形成動作の開始入力後に前記後処理手段の移動を開始させるとともに、記録紙が搬送されてくる前に前記後処理手段を指定された後処理位置に移動させる制御手段を備えたことを特徴とする記録紙処理装置。」
２．申立ての理由の概要
　申立人金原利行は、本件請求項１に係る発明（本件特許発明）は、その出願前公知の甲第１号証に記載された内容から当業者が容易に発明をすることができたものであり、特許法第２９条第２項の規定により特許を受けることができず、同法第１１３条第１項第２号の規定により取り消されるべきものである旨主張している。
３．甲第１号証の記載事項
　甲第１号証（特開昭６４−３４８６３号公報）には、複写装置などの記録装置と組合せて使用するのに適した記録紙処理装置に関して、下記の事項が図面とともに記載されている。
　「外部から１枚ずつ供給される一組の記録紙を供給順に重ねて一旦保持し、その保持位置で綴じ止め処理する記録紙処理装置において、綴じ止め処理用綴じ止め機を綴じ止め動作に先立って一旦記録紙近傍まで移動し、その後綴じ止め位置へ移動するように構成したことを特徴とする記録紙処理装置。」（特許請求の範囲）
　「複写紙処理装置１の制御回路は、・・・中略・・・複写紙処理装置１の処理モードを選択するモード選択ボタン２０４と、綴じ止め位置を指定する綴じ止め位置指定ボタン２０５と、・・・中略・・・モード選択ボタン２０４は１回押すとスタックモード、２回押すと綴じ止めモード、３回押すとパンチ・綴じ止めモードが選択されるようになっていて、さらに押すとこの順序で選択モードが繰り返される。綴じ止め位置指定ボタン２０５は１回押すと綴じ止め位置が第１１図に示すように複写物Ｆの隅ａ、２回押すと隅ｂ、３回押すとａとｂの両方になるよう複写装置２のＣＰＵ２００でコード化され、３ビットの信号として処理装置１のＣＰＵ１００に伝送される。」（第７頁左上欄下から７行〜左下欄４行）
　「第１３図は綴じ止めモードのタイミングチャートを示す。
　操作パネルのモード選択ボタン２０４を２回押して綴じ止めモードを選択するとともに、サイズ選択ボタン２０３を操作して複写紙サイズＡ４を選択する。また、綴じ止め位置指定ボタン２０５をたとえば１回押して綴じ止め位置を隅ａに指定する。
　さて時刻ｔ１において複写ボタン２０２をオンすると、ＲＤＦ装置３により原稿が１枚ずつ送り出され、複写装置２で電子写真プロセスにより複写されて装置２本体から排出される。」（第９頁左上欄１５行〜右上欄５行）
　「そこで時刻ｔ１から時間Ｔ１経過後に綴じ止め機移動モータＭ３は紙サイズＡ４よりやや外側の位置たとえば３０ｍｍだけ外側の位置まで綴じ止め機６０を移動させる量だけ回転し、側板間隔調整モータＭ４は側板４３ｂ１および４３ｂ２をほぼ紙サイズであるＡ４の位置まで移動させる量だけ回転する。綴じ止め機６０を紙サイズよりやや外側の位置に留めたのは、複数枚の複写紙をパンチしたり綴じ止めたりする処理位置への開口部がそれほど広くないのですべての複写紙がその処理位置に確実に入るようにするためである。また実際の綴じ止め動作に先立って綴じ止め機６０を複写機のすぐ近くまで移動しておくことにより、その後実際に綴じ止め位置（紙サイズＡ４よりやや内側の位置）に移動する時間が短くてすみ、綴じ止め動作に要する時間が短縮できる。」（第９頁右下欄４行〜１９行）
　「ラスト紙信号の出力後綴じ止めスタートタイマＴＭ３による設定時間Ｔ３が経過すると、ＣＰＵ１００に内蔵された紙押えバー作動タイマＴＭ４がカウントを開始するとともに、紙押えバー駆動モータＭ５が回転する。一方、スタッカーファンはこの時点をもって停止する。紙押えバー作動タイマＴＭ４による設定時間Ｔ４が経過したとき紙押えバー駆動モータＭ５を停止するとともに綴じ止め機移動モータＭ３が再び回転を始め２台の綴じ止め機がパンチ機５０の方向に移動し始める。モータＭ３は綴じ止め機６０の綴じ止め位置がサイズ選択ボタンにより選択されたサイズＡ４のやや内側たとえば２４ｍｍだけ内側にくるように回転して停止する。
　綴じ止め機移動モータＭ３が停止すると今度は綴じ止め機駆動モータＭ９およびＭ１０が回転を始める。駆動モータＭ９，Ｍ１０の回転がギヤ６１および６２を介してレバー６３の直線往復運動として伝達され、Ｖ字形レバーを支点Ａを中心に回動させる。その結果、レバー６５が回動し押下げ片６７がばね６５を圧縮しながら下降する。それにより薄板６８がガイド６９に沿って下降し、カートリッジ７０に入っている綴じ金を１つだけ切り離して複写物に食い込ませ綴じ止めする。」（第１０頁左上欄１０行〜右上欄１３行）
４．対比・判断
　甲第１号証に記載された上記技術事項からみて、甲第１号証に記載された発明の「綴じ止め機６０」、「複写ボタン２０２がオン操作されたとき」、「モード選択ボタン２０４と綴じ止め位置指定ボタン２０５による指定操作」、「ＣＰＵ１００とＣＰＵ２００」及び「記録紙処理装置」は、各々本件特許発明の「後処理手段」、「画像形成動作の開始の入力」、「後処理手段の記録紙での後処理位置を複数指定可能」、「後処理手段を移動させる制御手段」及び「記録紙処理装置」に相当するものであるから、本件特許発明の用語を使用して本件特許発明と甲第１号証に記載された発明とを対比すると、両者は、「搬送されてくる記録紙の一端に平行移動可能に設置されて記録紙を後処理する後処理手段を備え、この後処理手段の記録紙での後処理位置を複数指定可能な記録紙処理装置において、後処理モードが選択された状態で画像形成動作の開始が入力されたとき、前記画像形成動作の開始入力後に前記後処理手段を移動させる制御手段を備えた記録紙処理装置。」で一致しており、下記の点で相違している。
　相違点；本件特許発明では、制御手段が、画像形成動作の開始入力後に後処理手段の移動を開始させるとともに、記録紙が搬送されてくる前に前記後処理手段を指定された後処理位置に移動させるものであるのに対して、甲第１号証に記載された発明では、ＣＰＵ１００とＣＰＵ２００が、複写ボタン２０２がオン操作されたとき（画像形成動作の開始入力後）に、綴じ止め機６０（後処理手段）を紙サイズよりもやや外側の位置まで移動させ、ラスト紙信号の出力後に所定のタイミングで紙押えバーで紙押えを行った後、綴じ止め機６０を綴じ止め位置（後処理位置）まで移動させるものである点。
　上記相違点について検討するに、参考資料として提出された実願昭６０−１２６０５９号（実開昭６２−３５８６３号）のマイクロフィルムにも、ステープラーを伝票の左の端部にゲートストッパーが当接して伝票を停止させる位置に停止しておき、綴じ込みを行うときには、モータを駆動することにより間歇的に右側に移動させて伝票の綴りを順次綴じるようにすることが記載されているにすぎないものであって、本件特許発明の上記相違点に係る構成については、記載されておらず、示唆する記載も認めることができないものである。
　そして、本件特許発明は、上記相違点に係る構成を備えることによって、特許明細書の発明の効果の欄に記載された格別な作用効果を奏するものと認める。
　したがって、本件特許発明は、参考資料に記載された技術事項を参酌しても甲第１号証に記載された発明に基づいて当業者が容易に発明をすることができたものとは認めることができない。
５．むすび
　以上のとおりであるから、特許異議申立ての理由及び証拠によっては本件特許発明についての特許を取り消すことができない。
　また、他に本件特許発明についての特許を取り消すべき理由を発見しない。
　よって、結論のとおり決定する。
【異議決定日】
平成１２年９月１８日（２０００．９．１８）